(57)【要約】      （修正有）【課題】連結の方向性が画一化されていない、角度や相対的な位置関係に限界がない、創造性や工夫を施すことを妨げないブロックおもちゃを提供する。【解決手段】ブロックおもちゃは、立体として形成した基本パーツを複数個有し、その基本パーツの少なくとも一部にジョイント部材の連接用の透孔３もしくは穴部を形成し、前記基本パーツを複数種類用意されたジョイント部材で連接し、任意の構造体を組み上げる構成とする。【選択図】図３
2019033949.tif 000002
【特許請求の範囲】
【請求項１】
立体として形成した基本パーツを複数個有し、その基本パーツの少なくとも一部にジョイント部材の連接用の透孔もしくは穴部を形成し、前記基本パーツを複数種類用意されたジョイント部材で連接し、任意の構造体を組み上げる構成としたことを特徴とするブロックおもちゃ。
【請求項２】
前記した基本パーツは立方体としたことを特徴とする請求項１に記載のブロックおもちゃ。
【請求項３】
前記した基本パーツは直方体としたことを特徴とする請求項１に記載のブロックおもちゃ。
【請求項４】
前記した基本パーツの透孔もしくは穴部は角形もしくは円形としたことを特徴とする請求項１から３のうち１項に記載のブロックおもちゃ。
【請求項５】
前記した基本パーツのコーナー部及び縁部は面取りもしくは曲面としてあることを特徴とする請求項１から４のうち１項に記載のブロックおもちゃ。
【請求項６】
前記したジョイント材は、基板の両面に直線同軸上もしくは点対称の位置として円柱あるいは円筒とした挿し込み部を一体的に備えていることを特徴とする請求項１に記載のブロックおもちゃ。
【請求項７】
前記したジョイント部材は、二枚の基板間にエルボ部を介在させ、前記した基板の外表面に円柱もしくは円筒とした挿し込み部を一体的に備えていることを特徴とする請求項１に記載のブロックおもちゃ。
【請求項８】
前記したジョイント部材は、二枚の基板間に補強連結部を介在させ、前記した基板の外表面に円柱もしくは円筒とした挿し込み部を一体的に備えていることを特徴とする請求項１に記載のブロックおもちゃ。
【請求項９】
前記したジョイント部材は、基板の一方側の面に平行に二つの円柱もしくは円筒とした挿し込み部を一体的に備えていることを特徴とする請求項１に記載のブロックおもちゃ。
【請求項１０】
前記したジョイント部材は、９０度に屈曲配置される基板の外表面あるいは内表面に円柱もしくは円筒とした挿し込み部を一体的に備えていることを特徴とするブロックおもちゃ。
【請求項１１】
前記した基本パーツ及びジョイント部材は、プラスチックで成形されていることを特徴とする請求項１から１０に記載のうち１項に記載のブロックおもちゃ。
【発明の詳細な説明】
【技術分野】
【０００１】
本発明はブロックおもちゃに関し、特に子供や高齢者をはじめ、あらゆる人々にとって、創造性を高めるとともに、知育用としても好適で、興味深く、立体構造を組み立てることができるブロックおもちゃに関する。
【背景技術】
【０００２】
従来、ブロックおもちゃと称される組み立ておもちゃは種々知られている。この従来知られているブロックおもちゃは、その多くが基本となるパーツブロックの形態が均一に構成され、その各パーツブロックに組み立てに使用するための挿し込み部と、その挿し込み部を受け入れる孔もしくは穴が形成されたものとなっている。
【０００３】
しかしながら、この従来のブロックおもちゃにあっては基本となるパーツブロックを、そのパーツブロックに設けられた挿し込み部（突子）と孔もしくは穴で連結して各自の想いに沿った作品を組み立てていくため、その組み立て、強いてはパーツブロックの連結について限界があり、各自の創造性や組み立てられた状態の作品にも限界があるものとなっていた。
【先行技術文献】
【特許文献】
【０００４】
出願人は、本願発明について、先行する技術文献を調査したが、格別に本願発明と関連し、類似していると思われる文献は発見できなかった。
【発明の概要】
【発明が解決しようとする課題】
【０００５】
本願発明が解決しようとする問題点は、従来のブロックおもちゃは基本となるパーツブロックの連結が各パーツブロックごとに形成されている挿し込み部と受部とによるものであるため、連結の方向性が画一化されており、角度や相対的な位置関係も限界があり、さらなる創造性や工夫を施すことが妨げられ、得られる作品も変化の乏しいものとなってしまうという点である。
【課題を解決するための手段】
【０００６】
この問題点を解決するために、本願発明に係るブロックおもちゃは、立体として形成した基本パーツを複数個有し、その基本パーツの少なくとも一部にジョイント部材の連接用の透孔もしくは穴部を形成し、前記基本パーツを複数種類用意されたジョイント部材で連接し、任意の構造体を組み上げる構成としたことを特徴としている。
【０００７】
また、本願発明に係るブロックおもちゃは、前記した基本パーツは立方体としたことを特徴とし、前記した基本パーツは直方体としたことを特徴としている。
【０００８】
さらに、本願発明に係るブロックおもちゃは、前記した基本パーツの透孔もしくは穴部は角形もしくは円形としたことを特徴とし、前記した基本パーツのコーナー部及び縁部は面取りもしくは曲面としてあることを特徴としている。
【０００９】
そして、本願発明に係るブロックおもちゃは、前記したジョイント材は、基板の両面に直線同軸上もしくは点対称の位置として円柱あるいは円筒とした挿し込み部を一体的に備えていることを特徴とし、前記したジョイント部材は、二枚の基板間にエルボ部を介在させ、前記した基板の外表面に円柱もしくは円筒とした挿し込み部を一体的に備えていることを特徴とし、前記したジョイント部材は、二枚の基板間に補強連結部を介在させ、前記した基板の外表面に円柱もしくは円筒とした挿し込み部を一体的に備えていることを特徴としている。
【００１０】
また、本願発明に係るブロックおもちゃは、前記したジョイント部材は、基板の一方側の面に平行に二つの円柱もしくは円筒とした挿し込み部を一体的に備えていることを特徴とし、前記したジョイント部材は、９０度に屈曲配置される基板の外表面あるいは内表面に円柱もしくは円筒とした挿し込み部を一体的に備えていることを特徴とし、前記した基本パーツ及びジョイント部材は、プラスチックで成形されていることを特徴としている。
【発明の効果】
【００１１】
本願発明に係るブロックおもちゃは上記のように構成されている。そのため、ブロックおもちゃの原点となる基本パーツは、複数種類が用意されたジョイント部材によって連接されることとなり、その連接について位置相対性、角度等を自在に選定することができ、従来にない組み立ての範囲が拡開され、空間を占める立体作品の製作について創造性を高めることができ、子供の知育としても、高齢者の老化防止にも効果があるものとなっている。
【図面の簡単な説明】
【００１２】
【図１】第一の基本パーツを示す斜視図である。
【図２】第一のジョイント部材を示す斜視図である。
【図３】第一のジョイント部材で第一の基本パーツを連接した使用状態を示す図である。
【図４】第二のジョイント部材を示す斜視図である。
【図５】第二のジョイント部材で第一の基本パーツを連接した使用状態を示す図である。
【図６】第三のジョイント部材を示す斜視図である。
【図７】第三のジョイント部材で第一の基本パーツを連接した使用状態を示す図である。
【図８】第四のジョイント部材を示す斜視図である。
【図９】第四のジョイント部材で第一の基本パーツを連接した使用状態を示す図である。
【図１０】第五のジョイント部材を示す斜視図である。
【図１１】第五のジョイント部材で第一の基本パーツを連接した使用状態を示す図である。
【図１２】第六のジョイント部材を示す斜視図である。
【図１３】第六のジョイント部材で第一の基本パーツを連接した使用状態を示す図である。
【図１４】第七のジョイント部材を示す斜視図である。
【図１５】第七のジョイント部材で第一の基本パーツを連接した使用状態を示す図である。
【図１６】第八のジョイント部材を示す斜視図である。
【図１７】第八のジョイント部材で第一の基本パーツを連接した使用状態を示す図である。
【図１８】第二の基本パーツを示す斜視図である。
【図１９】第二の基本パーツと第一の基本パーツを第二のジョイント部材で連接した使用状態を示す図である。
【図２０】第三の基本パーツを示す斜視図である。
【図２１】第三の基本パーツと第一の基本パーツを第三のジョイント部材で連接した使用状態を示す図である。
【図２２】第四の基本パーツを示す斜視図である。
【図２３】第五の基本パーツを示す斜視図である。
【図２４】第五の基本パーツと第一の基本パーツを複数のジョイント部材で連接した使用状態を示す図である。
【図２５】第六の基本パーツを示す斜視図である。
【図２６】第六の基本パーツと第一の基本パーツを複数のジョイント部材で連接した使用状態を示す図である。
【発明を実施するための形態】
【００１３】
図面として示し、実施例で説明したように構成したことで実現した。
【実施例１】
【００１４】
次に、本願発明の好ましい実施例を図面を参照して説明する。図中１は本願発明に用いられる第一の基本パーツを示しており、この第一の基本パーツ１は角コーナー及び縁部分に面取り２、２‥を施し、尖り部分を極力排除した中空立方体となっており、形成される６つの平面中央には角孔、それも正方形とした透孔３、３‥が形成されている。
【００１５】
この透孔３、３‥は本実施例では正方形としてあるが、円形でも三角形、あるいは多角形でもよく、後述するジョイント部材の円柱もしくは円筒として形成される挿し込み部の外周面が該透孔３の内周面と当接あるいは摺接すればよく、その嵌合によって基本パーツ１あるいはジョイント部材が、挿し込み部を軸としての回転、回動が許容されればよい。
【００１６】
図中４は本願発明に用いられる第一のジョイント部材を示しており、この第一のジョイント部材４は円板状とした基板５を有しており、この基板５の表裏に同軸直線状に円柱状とした第一の挿し込み部６及び第二の挿し込み部７が一体的に形成されているもので、少なくとも一方の挿し込み部、本実施例では第一の挿し込み部６の先端側には、テーパ６ａが形成され、先端６ｂは球面状に形成されている。第二の挿し込み部７も同様に形成することも可能であるが、本実施例では通常の円柱状として構成してある。この第一の挿し込み部６におけるテーパ６ａと先端６ｂの球面状は、組み上げる対象物が動物、恐竜等を想定した場合の角や爪、眼、鼻等としての見立て装飾の作用も発揮することができるので、表出させない第二の挿し込み部７にはかかる構成はとっていない。
【００１７】
前記した第一及び第二の挿し込み部６、７の高さは、基本パーツ１の透孔３の深さと同一あるいはそれよりサイズを大きく構成してあり、第一及び第二の挿し込み部６、７の外周面が部分的に透孔３の内周面と密に当接して嵌合されるものとなっている。第一及び第二の挿し込み部６、７が円柱状となっているため、この挿し込み部６、７を軸として、基本パーツ１あるいは第一のジョイント部材４は嵌合状態で回転、回動が自在になされることとなる。加えて、挿し込み部６、７の挿し込みについての座標Ｘ、Ｙにおける位置方向性は自在となる。
【００１８】
図３として、この第一のジョイント部材４を使用して、二つの基本パーツ１、１を連接する使用状態を示す。任意の基本パーツ１の任意の透孔３に第一のジョイント部材４の第二の挿し込み部７を嵌入固定した状態で、別異の基本パーツ１の任意の透孔３を第一の挿し込み部６に嵌入すると、二つの基本パーツ１、１は第一のジョイント部材４の挿し込み部６、７の中心軸に沿って直線上、即ち、直列に連接される。この際、第一のジョイント部材４の基板５はフランジとなってストッパの効果も有し、基本パーツ１、１の面取り部２、２‥によってこの基板５を噛み込んでしまうこともない。
【００１９】
また、図４として示す８は第二のジョイント部材を示している。この第二のジョイント部材８は小判状とした基板９を有しており、その長手方向に沿った表裏の点対称の位置に円柱状とした第一の挿し込み部１０及び第二の挿し込み部１１が一体的に形成されているもので、第一の挿し込み部１０には前記した第一のジョイント部材４の場合と同様にテーパ１０ａが形成され、先端１０ｂは球面状に形成されている。第二の挿し込み部１１も第一のジョイント部材４と同様で円柱状となっている。即ち、この第二のジョイント部材８では、第一、第二の挿し込み部１０、１１がその中心軸を平行に逆方向に向いた構成となっている。そして、この第二のジョイント部材８の基板９の長手方向の寸法は基本パーツ１の幅の約１．５倍とされている。
【００２０】
図５として、この第二のジョイント部材８を用いて二つの基本パーツ１、１を連接する使用状態を示す。任意の基本パーツ１の任意の透孔３と、別異の基本パーツ１の任意の透孔３に各々第一及び第二の挿し込み部１０、１１を嵌入すると、第二のジョイント部材８の基板９の長さから、各々の基本パーツ１、１は、その基本パーツのサイズの半個分、左右方向にずらせて連接される。
【００２１】
さらに、図６として示す１２は第三のジョイント部材であり、この第三のジョイント部材１２は第二のジョイント部材８を変形させたもので、小判状とした基板１３の長手方向に沿った側面中央部分に括れとなる凹所１３ａ、１３ａが形成されているもので、第一、第二の挿し込み部１４、１５の構成は第二のジョイント部材８と同様とされている。
【００２２】
この第三のジョイント部材１２を用いて二つの基本パーツ１、１を連接する使用状態を図７として示す。この連接状態では図５に示す場合と異なって、第三のジョイント部材１２の基板１３の長手方向を基本パーツ１、１の正方形の透孔３に対し、その対角線方向に沿わせてある。つまり、基本パーツ１に対して４５度方向をずらせて連接することで、各基本パーツ１、１の位置を左右前後に半個分ずらせた状態での連接となる。この連接形態は第二のジョイント部材８によっても可能であるが、第三のジョイント部材１２は凹所１３ａ、１３ａを有していることで連接状態の審美性が向上する。
【００２３】
図８として示すのは第四のジョイント部材１６である。この第四のジョイント部材１６は円板状とした第一基板１７と、その第一基板１７の中心線に対して４５度傾けた配置とした第二基板１８を有しており、その第一基板１７と第二基板１８の中心部分を連結部１９で一体的に連結してある。また、第一基板１７の外表面中心には円柱状とした第一の挿し込み部２０が、第二基板１８の外表面中心には円柱状とした第二の挿し込み部２１が各々の基板１７、１８の中心線とその軸線を合わせて一体的に形成されている。第一の挿し込み部２０は前記した各ジョイント部材と同様にテーパ２０ａが形成され、先端２０ｂは球面状に形成されている。
【００２４】
この第四のジョイント部材１６を用いて二つの基本パーツ１、１を連接する使用状態を図９として示す。この連接状態は第四のジョイント部材１６の形態から二つの基本パーツ１、１は相互に直線から４５度の位置ずれをもって、換言すると４５度の曲げをもって連接されることとなる。この第四のジョイント部材１６にあっては連結部１９が全体を４５度エルボとするためのエルボ部となる。
【００２５】
図１０として示すのは第五のジョイント部材２２であり、この第五のジョイント部材２２は前記した第四のジョイント部材1１６を変形させたもので、円板状とした第一基板２３と第二基板２４を９０度傾けた配置としてあり、その第一及び第二基板２３、２４の内側中心部分を連結部２５で一体的に連結してある。この第五のジョイント部材２２にあって、連結部２５は９０度のエルボ部となる。第一基板２３の外面中央には第一の挿し込み部２６が、第二基板２４の外面中央には第二の挿し込み部２７が第四のジョイント部材１６と同様に形成されている。
【００２６】
この第五のジョイント部材２２を用いて二つの基本パーツ１、１を連接する使用状態を図１１として示す。この第五のジョイント部材２２は９０度のエルボ構造となっているので、二つの基本パーツ１、１は相互に９０度の回転位置に配置されることとなる。
【００２７】
次いで、図１２として示すのは第六のジョイント部材２８であり、この第六のジョイント部材２８は基本パーツ１、１を直列に連接するためのジョイント部材の変形である。その意味では第一のジョイント部材４の変形ではあるが、角度を１８０度とする意味では第四、第五のジョイント部材１６、２２の変形ともいえる。この第六のジョイント部材２８は円板状とした第一基板２９と第二基板３０をその中心線が直線状となるように配置され、その第一基板２９、第二基板３０の内面中心部分を補強連結部３１で一体的に連結した構成となっている。この補強連結部３１は横断面が十字状となる構成で、その長さは基本パーツ１の一個分に相当するものとなっている。
【００２８】
即ち、図１３として示す、この第六のジョイント部材２８を用いての基本パーツ１、１の連接使用形態は、二つの基本パーツ１、１が直列となり、その二つの基本パーツ１、１の間にこの第六のジョイント部材２８が存在することとなり、その補強連結部３１の長さから、基本パーツ１を一個分あけて連接する形態となる。
【００２９】
図１４として示すのは第七のジョイント部材３２である。この第七のジョイント部材３２は基本パーツ１の少なくとも二個分の長さを有し、小判状をしており、両側面中央部分に括れとなる凹所３３ａ、３３ａが形成されている基板３３を有しており、この基板３３の一方側の面の端部寄りに第一の挿し込み部３４と第二の挿し込み部３５が一体的に、その基板３３と中心軸を直交させて形成されている。第一の挿し込み部３４にはテーパ３４ａが形成され頂面３４ｂは球面状とされている。
【００３０】
この第七のジョイント部材３２を用いて、二つの基本パーツ１、１を連接した使用状態を図１５として示す。この図１５にあるように、この場合、二つの基本パーツ１、１は第七のジョイント部材３２の基板３３の一方側面に平行状態で連接される。この図１５では二つの基本パーツ１は相互に４５度の斜方向に並列しているが、二つの基本パーツ１、１の透孔３、３が対向するように隣接平行とすることも可能である。
【００３１】
図１６として示すのは第八のジョイント部材３６である。この第八のジョイント部材３６は小判状とし、両側面に凹所３７ａ、３７ａを形成した基板３７を、その凹所３７ａ、３７ａ部分の二箇所で鈍角に屈曲し、全体として９０度に折曲した構成としてある。その折曲された一端側を第一基板３７ｂとし、他端側を第二基板３７ｃとしてあるもので、この第一基板３７ｂの外表面の中央部分に第一の挿し込み部３８を、第二基板３７ｃの内表面に第二の挿し込み部３９を各々一体的に形成してある。第一の挿し込み部３８にはテーパ３８ａと球面状とした頂部３８ｂが形成されている。
【００３２】
この第八のジョイント部材３６にあって、第一及び第二の挿し込み部３８、３９の形成部位は第一基板３７ｂ、第二基板３７ｃの外内面は自在に選択することも可能である。
【００３３】
図１７に、この第八のジョイント部材３６を用いて、二つの基本パーツ１、１を連接した使用状態を示す。この図１７にあっては、第二の挿し込み部３９に連接された基本パーツ１は、第一の挿し込み部３８に連接された基本パーツ１に対し４５度捩った状態としてある。この連接態様は、必要に応じ平行ともできるし、第一の挿し込み部３８側の基本パーツ１を４５度捩ることも可能である。
【００３４】
図１８として示すのは第二の基本パーツ４０である。この第二の基本パーツ４０は前記した第一の基本パーツ１を左右もしくは前後あるいは上下の方向に半個分拡張延長した構成としてあり、その拡げられた拡張面４０ａに透孔３を一個増加したものとしてある。
【００３５】
この第二の基本パーツ４０と第一の基本パーツ１を前記した第二のジョイント部材８を用いて連接した使用状態を図１９として示す。第一の基本パーツ１は、第二の基本パーツ４０の連接面に対して、第一の基本パーツ１の半個分のスペースを残した連接となり、ステップ状の外観（Ｌ字型）を得ることができる。
【００３６】
図２０として示すのは第三の基本パーツ４１であり、この第三の基本パーツ４１は前記した第一の基本パーツ１を上方、左右方向に各々半個分拡張延長した構成としてある。即ち、前記した第二の基本パーツ４０をさらに、その拡張延長方向と直角方向に更に半個分拡張延長したものであり、その拡張面４１ａに透孔３、３の数を同一のピッチで増加したものとしてある。
【００３７】
この第三の基本パーツ４１と、第一の基本パーツ１を前記した第三のジョイント部材１２で連接した使用状態を図２１として示す。この図２１では第三の基本パーツ４１の拡開面４１ａの右上方の透孔３に対して連接した例で、第一の基本パーツ１の連接位置はこの図２１の実施例にこだわらず、拡張面４１ａと対応しない位置でも可能となる。勿論第三の基本パーツ４１から選ばれる透孔３も拡張面４１ａのものに限らず、上下面、左右側面のものであってもよい。
【００３８】
図２２として示すのは第四の基本パーツ４２であり、この第四の基本パーツ４２は前記した第一の基本パーツ１を上下、左右、前後の各方向へ半個分拡張延長したもので、立方体状とされ、６面各々が拡張面４２ａ、４２ａ‥となる。透孔３、３‥も各拡張面４２ａ、４２ａ‥に同ピッチで４つづつ形成されたものとなっている。
【００３９】
図２３として示すのは第五の基本パーツ４３であり、この第五の基本パーツ４３は前記した第一の基本パーツ１を左右もしくは前後あるいは上下の方向に１個分拡張延長したもので、その拡張面４３ａ、４３ａ‥には各々３つの透孔３、３‥が形成されたものとなっている。
【００４０】
この第五の基本パーツ４３と２つの第一の基本パーツ１、１を第一のジョイント部材４、４‥を用いて連接した使用状態を図２４として示す。２つの第一の基本パーツ１、１同士は第一のジョイント部材４によって直列に連接されており（図３で示す連接状態）、この２つの第一の基本パーツ１、１を第五の基本パーツ４３の任意の拡張面４３ａの両端部となる透孔３、３に第一のジョイント部材４、４を用いて直列連接する。２つの第一の基本パーツ１、１を連接した長さ（幅）と、第五の基本パーツ４３の拡張面４３ａの長さ（幅）は同一となる。
【００４１】
図２５として示すのは第六の基本パーツ４４であり、この第六の基本パーツ４４は、前記した第一の基本パーツ１を上下、左右の各方向へ１個分拡張延長したものであり、最大拡張面４４ａには９つの透孔３、３‥が同一ピッチで形成されている。他の面には３つづつの透孔３、３‥が同一ピッチで列設されている。
【００４２】
この第六の基本パーツ４４と３つの第一の基本パーツ１、１、１を第一のジョイント部材４、４‥を使用して連接した使用状態を図２６として示す。この図２６では３つの第一の基本パーツ１、１、１を左右、上下に各々に第一のジョイント部材４、４を使用して直列に連接し、その連接された状態の３つの第一の基本パーツ１、１、１を第六の基本パーツ４４の最大拡張面４４ａの四隅となる透孔３、３、３に第一のジョイント部材４、４を使用して直列に連接してある。この図２６から、第六の基本パーツ４４の最大拡張面４４ａの面積サイズは第一の基本パーツ１の４つ分に相当することが解る。
【００４３】
本実施例に係るブロックおもちゃは上記のように構成されている。実施例で示す、特に使用状態はあくまでも一例であり、この他の多種多様なバラエティに富んだバリエーションを使用者が作り、実行することができる。組み合せる基本パーツも自在に選択でき、連接のためのジョイント部材も自在に選択できる。特に、各ジョイント部材の第一の挿し込み部は見立て装飾用としての使用もできるので、この第一の挿し込み部に対し、基本パーツを嵌め付けることは絶対的な必要要素ではない。
【００４４】
また、本実施例における各基本パーツ及び各ジョイント部材はすべてプラスチックで成形されていることを想定している。さらに、各基本パーツは中空の立体を想定しているが、これは軽量化と材料の節減のためで、無垢のものでもよいが、その場合各透孔３は有底の穴部として形成されることとなる。
【産業上の利用可能性】
【００４５】
本願発明の実施例は上記のように構成されている。ここで、各基本パーツは立方体あるいは直方体を前提としているが、ジョイント部材の挿し込み部が挿し込み可能な透孔あるいは穴部が形成されていれば、これに限らず、球体や円棒状のものとすることも可能である。
【００４６】
また、各基本パーツやジョイント部材もプラスチックに代え、必要とあれば金属、セラミックあるいは木材等の他の素材を用いて成形することも可能である。
【符号の説明】
【００４７】
１    第一の基本パーツ
２    面取り
３    透孔
４    第一のジョイント部材
５    基板
６、１０、１４、２０、２６、３４、３８    第一の挿し込み部
６ａ    テーパ
６ｂ    頂面
７、１１、１５、２１、２７、３５、３９    第二の挿し込み部
８    第二のジョイント部材
９、１３、１７、１８、２３、２４、２９、３０、３３、３７    基板
１２    第三のジョイント部材
１３ａ、３３ａ    凹所
１６    第四のジョイント部材
１９、２５、３１    連結部
２２    第五のジョイント部材
２８    第六のジョイント部材
３２    第七のジョイント部材
３６    第八のジョイント部材
４０    第二の基本パーツ
４０ａ、４１ａ、４２ａ、４３ａ    拡張面
４１    第三の基本パーツ
４２    第四の基本パーツ
４３    第五の基本パーツ
４４    第六の基本パーツ
４４ａ    最大拡張面
【図１】
2019033949.tif 000003
【図２】
2019033949.tif 000004
【図３】
2019033949.tif 000005
【図４】
2019033949.tif 000006
【図５】
2019033949.tif 000007
【図６】
2019033949.tif 000008
【図７】
2019033949.tif 000009
【図８】
2019033949.tif 000010
【図９】
2019033949.tif 000011
【図１０】
2019033949.tif 000012
【図１１】
2019033949.tif 000013
【図１２】
2019033949.tif 000014
【図１３】
2019033949.tif 000015
【図１４】
2019033949.tif 000016
【図１５】
2019033949.tif 000017
【図１６】
2019033949.tif 000018
【図１７】
2019033949.tif 000019
【図１８】
2019033949.tif 000020
【図１９】
2019033949.tif 000021
【図２０】
2019033949.tif 000022
【図２１】
2019033949.tif 000023
【図２２】
2019033949.tif 000024
【図２３】
2019033949.tif 000025
【図２４】
2019033949.tif 000026
【図２５】
2019033949.tif 000027
【図２６】
2019033949.tif 000028